(57)【要約】【課題】  可動床の昇降に伴う操作を容易に行える構成が簡易にして廉価に提供することができる手動式可動床を提供する。【解決手段】  プールの固定床に昇降自在に架設された可動床の手動式昇降装置を、プール底上面と上記可動床下面との間に所要間隔毎に配設された複数のスクリューロッドと、このスクリューロッドの一に設けられた回転操作手段と、この回転操作手段による回転力を他の全てのスクリューロッドへと伝達する手段と、で構成し、上記各スクリューロッドは、複数段の連れ上がり式スクリューロッドで夫々構成した。【選択図】  図１
2006225865.tif 000002
【特許請求の範囲】
【請求項１】
プールの固定床に昇降自在に架設された可動床と、この可動床を昇降させるための手動式昇降装置と、を備え、上記可動床は、空気を密封可能な空洞部を有しており、かつ、上記手動式昇降装置は、プール底上面と上記可動床下面との間に所要間隔毎に配設された複数のスクリューロッドと、このスクリューロッドの一に設けられた回転操作手段と、この回転操作手段による回転力を他の全てのスクリューロッドへと伝達する手段と、を有して構成され、上記各スクリューロッドは、複数段の連れ上がり式スクリューロッドで夫々構成されていることを特徴とする手動式可動床装置。
【発明の詳細な説明】
【技術分野】
【０００１】
この発明は、プールの固定床面に設けられる手動式の可動床装置に係り、特に、簡単に水中運動や水中歩行に最適な水深に調整することが可能としたプールの手動式可動床装置に関する。
【背景技術】
【０００２】
近年、健康管理意識の高まりに伴い、幼児から老人に到るまで行うことができるスポーツとして水泳が盛んとなり、スイミンググラブ等多くの施設が発達してきている。
【０００３】
ところで、従来のプールでは、水深が固定化されているのが現状であり、このような水深の調整が不可能な従来のプールでは、近年の健康管理意識の高揚から発展している「水中運動」や「水中歩行」に最適な水深環境（水中運動では約１．２ｍ程度、水中歩行では０．９ｍ程度の水深が最適である。）の育成に対応することができず、或は、対応させるためには多くの時間と労力を必要とすることから、一般的には、特許文献１の図４２に示すように、プール内に置き台を沈めて、水深を調整しているのが現状である。
【０００４】
【特許文献１】特公平４−５４０２５号公報
【発明の開示】
【発明が解決しようとする課題】
【０００５】
しかしながら、このような置き台を用いる水深調整方法では、置き台が水中で動いてしまい、置き台間に隙間が発生し、足を挟まれたり転落する危険性があると共に、置き台の下方が澱みとなり、沈殿物が堆積して水質の悪化を招き易い、という問題を有していた。
【０００６】
この発明に係る手動式可動床装置は、かかる現状に鑑みて創案されたものであって、可動床の昇降に伴う操作を容易に行える構成が簡易にして廉価に提供することができる手動式可動床を提供しようとするものである。
【課題を解決するための手段】
【０００７】
上記目的を達成するため、この発明に係る手動式可動床装置は、プールの固定床に昇降自在に架設された可動床と、この可動床を昇降させるための手動式昇降装置と、を備え、上記可動床は、空気を密封可能な空洞部を有しており、かつ、上記手動式昇降装置は、プール底上面と上記可動床下面との間に所要間隔毎に配設された複数のスクリューロッドと、このスクリューロッドの一に設けられた回転操作手段と、この回転操作手段による回転力を他の全てのスクリューロッドへと伝達する手段と、を有して構成され、上記各スクリューロッドは、複数段の連れ上がり式スクリューロッドで夫々構成されていることを特徴とする。
【発明の効果】
【０００８】
この発明に係る手動式可動床装置は、以上のように構成されているので、水中運動や水中歩行に最適な水深に容易に調整することができ、また、手動式なので、動力を必要としないのでランニングコストを可及的に低減することができると共に、可動床３が水中で動く虞もなく、さらには足を挟まれたり転落する危険性もなく安全である、という優れた効果が得られる。
【発明を実施するための最良の形態】
【０００９】
以下、本発明の実施形態を図面に基づいて説明する。
【００１０】
この実施形態例に係るプールの手動式可動床装置は、図１と図２に示すように、プールの固定床に接地固定される枠板状のベース部材２と、このベース部材２に対し昇降自在に支持された可動床３と、この可動床３を昇降させるための手動式昇降装置４と、を備えている。
【００１１】
このうち、上記可動床３は、枠材と、該枠材の上面側に敷設されるデッキ材と、から構成されており、このデッキ材は、工場等で枠材に取り付けられる。
【００１２】
上記枠材は、１ユニットサイズが１ｍ×２ｍ×厚さ０．１５ｍを標準としているが、プール開口の大きさに対応させて適宜寸法変更することができる。尚、上記枠材の構成素材としては、アルミニウム材、合成樹脂材あるいはステンレス材等の本来的に軽量な材料、あるいは軽量化された材料を用いる。このように形成された枠材は、各種の公知の連結部材によって連結される。
【００１３】
また、上記デッキ材は、プールの開口部上下方向に沿って移動可能で水中における浮力が略零となるように空気が封入される構造を有して構成されている。このデッキ材は、ポリ塩化ビニールを引き抜き工法により製造した多数の長尺床材で構成されている。このようにデッキ材を、公知の引き抜き工法で製造されたポリ塩化ビニールで形成することにより、該デッキ材の表面には微細な凹凸が全面にわたって形成されることとなり、この微細な凹凸が摩擦力となって、水中における顕著な滑り止め効果が得られる。このため、特別な滑り止め材を貼着したり、特別な滑り止め剤を添加することなく、容易かつ廉価に製造することができる。
【００１４】
即ち、上記デッキ材を構成する長尺床材は、複数個の空洞部を有して構成されており、上記空洞部の端部等には、空気を密封する栓体（図示せず）が着脱自在に装着され、水中でデッキ材に浮力を与えてその重量を軽減することができるように構成されている。
【００１５】
次に、上記手動式昇降装置４は、図１に示すように、この実施形態例では、可動床３の四隅に配設された連れ上がり式スクリューロッド１０Ａ，１０Ｂ，１０Ｃ，１０Ｄと、このスクリューロッド１０Ａの最上段のロッド上面に連設された回転操作体１１と、この回転操作体１１の最上段のロッド上部に固定されたスプロケット１２と、上記回転操作体１１による回転力を、他のスクリューロッド１０Ｂ，１０Ｃ，１０Ｄの最上段のロッドに固定されたスプロケット１２へと伝達するチェーンベルト１３と、を有して構成され、該チェーンベルト１３は、各スクリューロッド１０Ａ，１０Ｂ，１０Ｃ，１０Ｄの各スプロケット１２と、弛みが生じないように噛合し、上記回転操作体１１による回転力を各各スクリューロッド１０Ａ，１０Ｂ，１０Ｃ，１０Ｄへと伝達し、可動床３が略水平を保った状態で昇降動できるように懸架されている。
【００１６】
また、上記回転操作体１１は、平面形状が正方形或は多角形で構成されており、該回転操作体１１には、図示しないが、ハンドルが着脱自在に装着され、該ハンドルを回転させることで、上記回転操作体１１が正逆方向に回転し、該回転力で回転操作体１１の最上段のロッド上部に固定されたスプロケット１２が正逆方向に回転し、これにより他のスクリューロッド１０Ｂ，１０Ｃ，１０Ｄの最上段のロッドに固定されたスプロケット１２に上記回転力がチェーンベルト１３を介して伝達されるため、各スクリューロッド１０Ａ，１０Ｂ，１０Ｃ，１０Ｄは略同期して昇降動するように構成されている。
【００１７】
連れ上がり式のスクリューロッド１０Ａ，１０Ｂ，１０Ｃ，１０Ｄは、図２に示すように、最上段のロッド２０と、該ロッド２０と噛合する中上段筒ロッド２１と、該中上段筒ロッド２１と噛合する中下段筒ロッド２２と、該中下段筒ロッド２２と噛合する下段筒ロッド２３と、該下段筒ロッド２３と噛合する固定筒体２４と、の５段で構成されており、上記最上段のロッド２０の上部に前記スプロッケット１２が固定され、また、上記固定筒体２４の底面は、前記ベース部材２の上面に強固に固定される。
【００１８】
そして、上記最上段のロッド２０と中上段筒ロッド２１と中下段筒ロッド２２及び下段筒ロッド２３の外周面には雄ねじ２０Ａ，２１Ａ，２２Ａ，２３Ａが刻設されており、また、中上段筒ロッド２１と中下段筒ロッド２２と下段筒ロッド２３及び固定筒体２４の上面部中央に開設された孔部２１Ｂ，２２Ｂ，２３Ｂ，２４Ｂの内周面には、上記雄ねじ２０Ａ，２１Ａ，２２Ａ，２３Ａと螺合する雌ねじが夫々刻設されている。尚、図中符号２０Ｃ，２１Ｃ，２２Ｃ，２３Ｃは、抜け止め防止体である。
【００１９】
スクリューロッド１０Ａ，１０Ｂ，１０Ｃ，１０Ｄは、上記構成を備えているので、回転操作体１１にハンドルを装着し、該ハンドルを一方向に回転させることで、上記各スクリューロッド１０Ａ，１０Ｂ，１０Ｃ，１０Ｄの各最上段のロッド２０が上昇方向に回転し、次に各ロッド２０と噛合する中上段筒ロッド２１が上昇方向に回転し、次に、各中上段筒ロッド２１と噛合する中下段筒ロッド２２が上昇方向に回転し、次に、各中下段筒ロッド２２と噛合する下段筒ロッド２３が上昇方向に回転し、最後に、各下段筒ロッド２３と噛合する固定筒体２４が上昇方向に回転し、可動床３は最上昇位置まで上昇する。この実施例では、最上昇高さは４００ｍｍに設定されているが、各ロッド長さを伸ばし、或は、段数を変えることで、上昇高さを適宜選択することができる。尚、可動床３を下降させる場合には、上記ハンドルを逆方向に回転させることで容易に下降させることができる。
【００２０】
尚、上記実施形態例では、この発明をプールに適用した場合を例にとり説明したが、本発明はこれに限定されるものではなく、老人ホーム等の風呂場の床面アップにも適用できる。
【図面の簡単な説明】
【００２１】
【図１】本発明の実施形態の手動式可動床装置の概略的な全体構成を示す斜視図である。
【図２】同装置に用いられる連れ上がり式スクリューロッドの構成を示す断面図である。
【符号の説明】
【００２２】
２  ベース部材
３  可動床
４  手動式昇降装置
１０Ａ，１０Ｂ，１０Ｃ，１０Ｄ  連れ上がり式スクリューロッド
１１  回転操作体
１２  スプロケット
１３  チェーンベルト
２０  最上段のロッド
２１  中上段筒ロッド
２２  中下段筒ロッド
２３  下段筒ロッド
２４  固定筒体
２０Ａ，２１Ａ，２２Ａ，２３Ａ  雄ねじ
２１Ｂ，２２Ｂ，２３Ｂ，２４Ｂ  孔部（雌ねじ）
２０Ｃ，２１Ｃ，２２Ｃ，２３Ｃ  抜け止め防止体
【図１】
2006225865.tif 000003
【図２】
2006225865.tif 000004